【手続補正書】
【提出日】平成20年5月13日(2008.5.13)
【手続補正１】
【補正対象書類名】特許請求の範囲
【補正対象項目名】全文
【補正方法】変更
【補正の内容】
【特許請求の範囲】
【請求項１】
ネットワークを介して所定のアクセス先に接続可能な画像処理装置であって、
外部機器から前記ネットワークを介してコンテンツを取得するためのネットワークアクセス情報を含む電子メールを受信する受信手段と、
前記受信手段により受信される電子メールを解析して、当該電子メールに含まれる前記ネットワークアクセス情報に基づき前記コンテンツを取得する取得手段と、
前記取得手段により取得された前記コンテンツを保持する保持手段と、
を有することを特徴とする画像処理装置。
【請求項２】
前記受信手段は、前記取得手段で取得される前記コンテンツの処理方法を指定するための処理情報をさらに含む電子メールを受信し、
さらに、前記保持手段で保持した前記コンテンツを、前記受信手段で受信した電子メールに含まれる前記処理情報に従った処理方法で処理する処理手段を有することを特徴とする請求項１に記載の画像処理装置。
【請求項３】
前記処理手段が行う処理は、前記処理情報に基づいて、前記コンテンツを印刷部が印刷可能な印刷データに展開して記憶手段に登録するコンテンツ登録処理、前記記憶手段に登録されている印刷データを印刷部で印刷するコンテンツ印刷処理を含むことを特徴とする請求項２記載の画像処理装置。
【請求項４】
前記処理情報は、前記コンテンツを印刷部で印刷するための印刷設定情報を含むことを特徴とする請求項２記載の画像処理装置。
【請求項５】
前記印刷設定情報は、前記コンテンツを印刷部で印刷するための印刷出力設定処理情報、前記コンテンツを印刷部で指定時刻に印刷するための印刷時刻設定処理情報、データ登録処理で前記記憶手段に登録されているコンテンツを認証して印刷部で印刷するためのセキュア印刷設定処理情報を含むことを特徴とする請求項４記載の画像処理装置。
【請求項６】
前記保持手段で保持している前記コンテンツに対して印刷部に設定すべき印刷条件を設定する設定手段を有することを特徴とする請求項１記載の画像処理装置。
【請求項７】
前記受信手段で受信した電子メールの差出人に応じて前記保持手段で保持している前記コンテンツに対し異なる処理を行う手段を有することを特徴とする請求項１に記載の画像処理装置。
【請求項８】
前記受信手段は、複数のメールアドレスに基づき電子メールを受信し、
さらに、前記受信手段がどのメールアドレスに基づき電子メールを受信したかに応じて前記保持手段で保持している前記コンテンツに対し異なる処理を行う手段を有することを特徴とする請求項１に記載の画像処理装置。
【請求項９】
さらに、前記保持手段で保持している前記コンテンツの処理状況を示す電子メールを返信する手段を有することを特徴とする請求項１に記載の画像処理装置。
【請求項１０】
ネットワークを介して所定のアクセス先に接続可能な画像処理装置におけるデータ処理方法であって、
外部機器から前記ネットワークを介してコンテンツを取得するためのネットワークアクセス情報を含む電子メールを受信する受信ステップと、
前記受信ステップにより受信される電子メールを解析して、当該電子メールに含まれる前記ネットワークアクセス情報に基づき前記コンテンツを取得する取得ステップと、
前記取得ステップにより取得された前記コンテンツを保持手段で保持する保持ステップと、
を有することを特徴とするデータ処理方法。
【請求項１１】
前記受信ステップは、前記取得ステップで取得される前記コンテンツの処理方法を指定するための処理情報をさらに含む電子メールを受信し、
さらに、前記保持ステップで保持した前記コンテンツを、前記受信ステップで受信した電子メールに含まれる前記処理情報に従った処理方法で処理する処理ステップを有することを特徴とする請求項１０に記載のデータ処理方法。
【請求項１２】
前記処理ステップで行う処理は、前記ネットワーク処理情報に基づいて、前記コンテンツを印刷部が印刷可能な印刷データに展開して記憶手段に登録するコンテンツ登録処理、前記記憶手段に登録されている印刷データを印刷部で印刷するコンテンツ印刷処理を含むことを特徴とする請求項１１記載のデータ処理方法。
【請求項１３】
前記処理情報は、前記コンテンツを印刷部で印刷するための印刷設定情報を含むことを特徴とする請求項１１記載のデータ処理方法。
【請求項１４】
前記印刷設定情報は、前記コンテンツを印刷部で印刷するための印刷出力設定処理情報、前記コンテンツを印刷部で指定時刻に印刷するための印刷時刻設定処理情報、データ登録処理で前記記憶手段に登録されているコンテンツを認証して印刷部で印刷するためのセキュア印刷設定処理情報を含むことを特徴とする請求項１３記載のデータ処理方法。
【請求項１５】
前記保持ステップで保持した前記コンテンツに対して印刷部に設定すべき印刷条件を設定する設定ステップを有することを特徴とする請求項１０記載のデータ処理方法。
【請求項１６】
前記受信ステップで受信した電子メールの差出人に応じて前記保持ステップで保持した前記コンテンツに対し異なる処理を行うステップを有することを特徴とする請求項１０に記載のデータ処理方法。
【請求項１７】
前記受信ステップは、複数のメールアドレスに基づき電子メールを受信し、
さらに、前記受信ステップがどのメールアドレスに基づき電子メールを受信したかに応じて前記保持ステップで保持した前記コンテンツに対し異なる処理を行うステップを有することを特徴とする請求項１０に記載のデータ処理方法。
【請求項１８】
さらに、前記保持ステップで保持した前記コンテンツの処理状況を示す電子メールを返信するステップを有することを特徴とする請求項１０に記載のデータ処理方法。
【請求項１９】
請求項１０〜１８のいずれかに記載のデータ処理方法を実行させるためのプログラムを格納したことを特徴とするコンピュータが読み取り可能な記憶媒体。
【請求項２０】
請求項１０〜１８のいずれかに記載のデータ処理方法を、コンピュータにより実行させることを特徴とするプログラム。
【手続補正２】
【補正対象書類名】明細書
【補正対象項目名】発明の名称
【補正方法】変更
【補正の内容】
【発明の名称】画像処理装置、データ処理方法、記憶媒体、およびプログラム
【手続補正３】
【補正対象書類名】明細書
【補正対象項目名】０００９
【補正方法】変更
【補正の内容】
【０００９】
本発明は、上記の課題を解決するためになされたもので、本発明の目的は、ネットワークを介して所定のアクセス先に接続可能な画像処理装置において、外部機器から前記ネットワークを介してコンテンツを取得するためのネットワークアクセス情報を含む電子メールを受信したら、該受信される電子メールを解析して、当該電子メールに含まれる前記ネットワークアクセス情報に基づき前記コンテンツを取得し、該取得された前記コンテンツを保持することにより、外部機器からのコンテンツを取得するためのネットワークアクセス情報を含む電子メールを受け付けることで、画像処理装置のネットワーク接続環境の下で、当該ネットワークアクセス情報に基づきユーザが意図するコンテンツを取得して処理できる利便性に優れた画像処理を行える画像処理装置およびデータ処理方法およびコンピュータが読み取り可能なプログラムを格納した記憶媒体およびプログラムを提供することである。
【手続補正４】
【補正対象書類名】明細書
【補正対象項目名】００１０
【補正方法】削除
【補正の内容】
【手続補正５】
【補正対象書類名】明細書
【補正対象項目名】００１２
【補正方法】変更
【補正の内容】
【００１２】
ネットワークを介して所定のアクセス先に接続可能な画像処理装置であって、外部機器から前記ネットワークを介してコンテンツを取得するためのネットワークアクセス情報を含む電子メールを受信する受信手段と、前記受信手段により受信される電子メールを解析して、当該電子メールに含まれる前記ネットワークアクセス情報に基づき前記コンテンツを取得する取得手段と、前記取得手段により取得された前記コンテンツを保持する保持手段とを有することを特徴とする。
【手続補正６】
【補正対象書類名】明細書
【補正対象項目名】００１４
【補正方法】変更
【補正の内容】
【００１４】
ネットワークを介して所定のアクセス先に接続可能な画像処理装置におけるデータ処理方法であって、外部機器から前記ネットワークを介してコンテンツを取得するためのネットワークアクセス情報を含む電子メールを受信する受信ステップと、前記受信ステップにより受信される電子メールを解析して、当該電子メールに含まれる前記ネットワークアクセス情報に基づき前記コンテンツを取得する取得ステップと、前記取得ステップにより取得された前記コンテンツを保持手段で保持する保持ステップとを有することを特徴とする。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】変更
【補正の内容】
【００１９】
本発明に係る画像処理装置によれば、外部機器からのコンテンツを取得するためのネットワークアクセス情報を含む電子メールを受け付けることで、画像処理装置のネットワーク接続環境の下で、当該ネットワークアクセス情報に基づきユーザが意図するコンテンツを取得して処理できる利便性に優れた画像処理を行える。
【手続補正１２】
【補正対象書類名】明細書
【補正対象項目名】００２０
【補正方法】削除
【補正の内容】